(57)【特許請求の範囲】
【請求項１】
弁を有する管を介して、媒体を取り込み、その後に吐き出し可能な熱交換器と、
前記熱交換器に取り込まれる前記媒体の温度を検出する検出部と、
冷房運転又は暖房運転の何れか一方を設定可能であり、設定される運転の開始を制御する制御部と、
単方向通信を行う通信部と、
ユーザに所定の内容を報知可能な報知部と、
を備え、
前記冷房運転が設定される時に、前記制御部は、前記通信部を介して前記冷房運転の開始を冷暖房室外機に指示するとともに、前記弁を冷房モードで開けて、その後に第１の所定時間が経過する第１の時点で前記検出部によって検出される前記温度が第１の所定温度以上であるか否かを判定し、
前記第１の時点で前記温度が前記第１の所定温度以上である時に、前記制御部は、前記弁を停止モードで閉じるとともに、前記報知部に前記所定の内容を報知させ、
前記暖房運転が設定される時に、前記制御部は、前記通信部を介して前記暖房運転の開始を前記冷暖房室外機に指示するとともに、前記弁を暖房モードで開けて、その後に第２の所定時間が経過する第２の時点で前記検出部によって検出される前記温度が前記第１の所定温度よりも低い前記第２の所定温度未満であるか否かを判定し、
前記第２の時点で前記温度が前記第２の所定温度未満である時に、前記制御部は、前記弁を前記停止モードで閉じるとともに、前記報知部に前記所定の内容を報知させ、
前記弁を前記停止モードで閉じる時点から第３の所定時間が経過する第３の時点で、前記制御部は、前記弁を前記冷房モードで開けて、その後に第４の所定時間が経過する第４の時点まで、前記制御部は、前記弁を前記冷房モードで開けることを継続し、
前記第３の時点から前記第４の時点までの第１の期間内の少なくとも１つの時点において前記温度が前記第１の所定温度以上でない時に、前記制御部は、前記報知部に前記所定の内容の報知を停止させ、
前記弁を前記停止モードで閉じる時点から第５の所定時間が経過する第５の時点で、前記制御部は、前記弁を前記暖房モードで開けて、その後に第６の所定時間が経過する第６の時点まで、前記制御部は、前記弁を前記暖房モードで開けることを継続し、
前記第５の時点から前記第６の時点までの第２の期間内の少なくとも１つの時点において前記温度が前記第２の所定温度未満でない時に、前記制御部は、前記報知部に前記所定の内容の報知を停止させることを特徴とする冷暖房室内端末。
【請求項２】
前記所定の内容は、前記冷暖房室内端末と前記冷暖房室外機との間の電気的な配線における誤配線の存在であることを特徴とする請求項１に記載の冷暖房室内端末。
【請求項３】
少なくとも１つの冷暖房室内端末であって、請求項１又は２に記載の前記冷暖房室内端末である前記少なくとも１つの冷暖房室内端末と、
前記冷暖房室外機と、
を含むことを特徴とする冷暖房システム。
【請求項４】
冷暖房室内端末を準備する第１の工程と、
冷暖房室外機を準備する第２の工程と、
前記冷暖房室内端末と前記冷暖房室外機との間の機械的な配管及び電気的な配線を準備する第３の工程と、
冷房運転又は暖房運転の何れか一方の開始を指示するために、前記冷暖房室内端末から前記冷暖房室外機への単方向通信を前記配線で前記冷暖房室内端末側において実行する第４の工程と、
前記冷暖房室内端末の内部に設置される熱交換器に取り込まれる媒体の温度が、指示された前記一方とは異なる前記冷房運転又は前記暖房運転の何れか他方に基づく所望の温度に合致する時に、前記冷暖房室内端末において、前記配線に誤配線が存在することを検出する第５の工程と、
を含むことを特徴とする誤配線検出方法。
【請求項５】
前記誤配線が存在する時に、前記冷暖房室内端末において前記熱交換器への前記媒体の取り込みを停止させるとともに、前記冷暖房室内端末の報知部に所定の動作を実行させる第６の工程と、
を更に含むことを特徴とする請求項４に記載の誤配線検出方法。
【請求項６】
複数の冷暖房室内端末を準備する第１の工程と、
冷暖房室外機を準備する第２の工程と、
前記複数の冷暖房室内端末の各々と前記冷暖房室外機との間の機械的な配管及び電気的な配線を準備する第３の工程と、
冷房運転又は暖房運転の何れか一方の開始を指示するために、前記複数の冷暖房室内端末のうちの第１の冷暖房室内端末のみから前記冷暖房室外機への単方向通信を前記配線で前記第１の冷暖房室内端末側において実行する第４の工程と、
前記第１の冷暖房室内端末の内部に設置される熱交換器に取り込まれる媒体の温度が、指示された前記一方とは異なる前記冷房運転又は前記暖房運転の何れか他方に基づく所望の温度に合致する時に、前記第１の冷暖房室内端末のみにおいて、前記第１の冷暖房室内端末の前記熱交換器への前記媒体の取り込みを停止させるとともに、前記第１の冷暖房室内端末の報知部に所定の動作を実行させる第５の工程と、
を含むことを特徴とする誤配線検出方法。
【請求項７】
前記所定の動作は、光及び音の少なくとも１つの出力であることを特徴とする請求項５又は６に記載の誤配線検出方法。
【発明の詳細な説明】
【技術分野】
【０００１】
本発明は、室内の空気を熱交換器で冷却及び加熱可能な室内に設置される端末（冷暖房室内端末）、冷暖房室内端末とこの冷暖房室内端末に接続されて室外に設置される室外機（冷暖房室外機）とを含む冷暖房システム、冷暖房室内端末と冷暖房室外機との間の電気的な配線に誤配線が存在するか否かを検出する方法（誤配線検出方法）等に関する。
【背景技術】
【０００２】
例えば特許文献１の図１は、冷暖房室内端末として、室内機６を開示し、その室内機６（具体的には、空気調和機又はファンコイルユニット）は、室内送風ファン２２によって室内に送り出される空気又は風を室内熱交換器２１で冷却及び加熱可能である。なお、空気調和機の１例（具体的構造例）は、例えば特許文献２に開示されている。
【０００３】
次に、特許文献１の図１は、暖房室内端末として、床暖房を開示し、その床暖房は、床暖房パネル８に近い室内の空気を床暖房パネル８（熱交換器）で加熱可能である。特許文献１に開示される室内機６及び床暖房は、室外機１に接続されて、室内の空気を冷却及び加熱可能である。言い換えれば、特許文献１の室外機１には、２つの室内端末が接続され、２つの室内端末と室外機１との間の電気的な配線に誤配線が存在しない時に、室内の空気の温度を適切に調整することができる。
【０００４】
特許文献３の図１は、冷暖房端末として、放熱端末２を開示し、その放熱端末２は、例えば特許文献３の図２に示されるように、例えば２個の放熱端末２１，２２で構成可能である。ここで、放熱端末２１，２２は、例えば床暖房パネル、パネルコンベクタ等である。但し、その放熱端末２１，２２の個数は、２個に限定されるものではなく（特許文献３の段落［００２９］参照）、仕様によっては、３個以上の放熱端末が制御装置６（冷暖房室外機）に接続されることになる。
【０００５】
冷暖房室内端末及び／又は製造者（メーカ）が多い又は異なる時に、システム全体の拡張性を考慮すれば、冷暖房室内端末と冷暖房室外機との間の通信は、双方向通信ではなく、単方向通信（１方向通信）であることが好ましく、一般には、冷暖房室内端末から冷暖房室外機への１方向通信が可能なＥ−ＣＯＮ仕様で、冷暖房室内端末と冷暖房室外機との間の電気的な配線は、構成可能である（例えば特許文献４の段落［０００３］参照）。
【先行技術文献】
【特許文献】
【０００６】
【特許文献１】特開２０１５−０１７７２４号公報
【特許文献２】特開２００６−０７１１１２号公報
【特許文献３】特開２０１５−１１７８８０号公報
【特許文献４】特開２００４−１８３９４１号公報
【発明の概要】
【発明が解決しようとする課題】
【０００７】
冷暖房室内端末と冷暖房室外機との間の電気的な配線に誤配線が存在する状態で、冷暖房室内端末が冷暖房室外機に冷房運転又は暖房運転させる時に、室内の空気の温度を適切に調整することができない。
【０００８】
本発明の１つの目的は、誤配線を検出可能な冷暖房室内端末及び誤配線検出方法を提供することである。本発明の他の目的は、以下に例示する態様及び最良の実施形態、並びに添付の図面を参照することによって、当業者に明らかになるであろう。
【課題を解決するための手段】
【０００９】
以下に、本発明の概要を容易に理解するために、本発明に従う態様を例示する。
【００１０】
第１の態様において、冷暖房室内端末は、
弁を有する管を介して、媒体を取り込み、その後に吐き出し可能な熱交換器と、
前記熱交換器に取り込まれる前記媒体の温度を検出する検出部と、
冷房運転又は暖房運転の何れか一方を設定可能であり、設定される運転の開始を制御する制御部と、
単方向通信を行う通信部と、
ユーザに所定の内容を報知可能な報知部と、
を備え、
前記冷房運転が設定される時に、前記制御部は、前記通信部を介して前記冷房運転の開始を冷暖房室外機に指示するとともに、前記弁を冷房モードで開けて、その後に第１の所定時間が経過する第１の時点で前記検出部によって検出される前記温度が第１の所定温度以上であるか否かを判定し、
前記第１の時点で前記温度が前記第１の所定温度以上である時に、前記制御部は、前記弁を停止モードで閉じるとともに、前記報知部に前記所定の内容を報知させ、
前記暖房運転が設定される時に、前記制御部は、前記通信部を介して前記暖房運転の開始を前記冷暖房室外機に指示するとともに、前記弁を暖房モードで開けて、その後に第２の所定時間が経過する第２の時点で前記検出部によって検出される前記温度が前記第１の所定温度よりも低い前記第２の所定温度未満であるか否かを判定し、
前記第２の時点で前記温度が前記第２の所定温度未満である時に、前記制御部は、前記弁を前記停止モードで閉じるとともに、前記報知部に前記所定の内容を報知させる。
【００１１】
第１の態様では、冷暖房室内端末は、熱交換器に取り込まれる媒体の温度を検出する検出部を備えている。従って、冷暖房室内端末の制御部は、媒体の温度に基づき、冷暖房室内端末と冷暖房室外機との間の電気的な配線に誤配線が存在するか否かを判定することができる。
【００１２】
具体的には、冷暖房室内端末が冷房運転の開始を冷暖房室外機に指示する時に、誤配線によって冷暖房室外機が暖房運転の開始を実施することがある。このような状況において、冷暖房室外機からの媒体の温度が高くなり、冷暖房室内端末は、高い温度を有する媒体を取り込む熱交換器で室内の空気を加熱してしまう。そこで、第１の態様では、冷暖房室内端末の制御部は、弁を冷房モードで開けて、熱交換器への媒体の取り込みを実行し、その後に第１の所定時間が経過する第１の時点で媒体の温度が第１の所定温度以上である時に、冷暖房室外機が誤配線によって反対の運転を実施していることを想定し、弁を停止モードで閉じることができる。
【００１３】
同様に、冷暖房室内端末が暖房運転の開始を冷暖房室外機に指示する時に、誤配線によって冷暖房室外機が冷房運転の開始を実施することがある。このような状況において、冷暖房室外機からの媒体の温度が低くなり、冷暖房室内端末は、低い温度を有する媒体を取り込む熱交換器で室内の空気を冷却してしまう。特に、気温が低い又は冬である時に、熱交換器及び冷暖房室内端末の上に水滴（結露）が発生する可能性もある。そこで、第１の態様では、冷暖房室内端末の制御部は、弁を暖房モードで開けて、熱交換器への媒体の取り込みを実行し、その後に第２の所定時間が経過する第２の時点で媒体の温度が第２の所定温度未満である時に、冷暖房室外機が誤配線によって反対の運転を実施していることを想定し、弁を停止モードで閉じることができる。
【００１４】
加えて、第１の態様では、冷暖房室内端末は、ユーザに所定の内容を報知可能な報知部を備えている。従って、冷暖房室内端末の制御部は、冷暖房室外機が誤配線によって反対の運転を実施していることを想定する時に、それをユーザに報知することができる。
【００１５】
第１の態様に従属する第２の態様において、
前記弁を前記停止モードで閉じる時点から第３の所定時間が経過する第３の時点で、前記制御部は、前記弁を前記冷房モードで開けて、その後に第４の所定時間が経過する第４の時点まで、前記制御部は、前記弁を前記冷房モードで開けることを継続してもよく、
前記第３の時点から前記第４の時点までの第１の期間内の少なくとも１つの時点において前記温度が前記第１の所定温度以上でない時に、前記制御部は、前記報知部に前記所定の内容の報知を停止させてもよく、
前記弁を前記停止モードで閉じる時点から第５の所定時間が経過する第５の時点で、前記制御部は、前記弁を前記暖房モードで開けて、その後に第６の所定時間が経過する第６の時点まで、前記制御部は、前記弁を前記暖房モードで開けることを継続してもよく、
前記第５の時点から前記第６の時点までの第２の期間内の少なくとも１つの時点において前記温度が前記第２の所定温度未満でない時に、前記制御部は、前記報知部に前記所定の内容の報知を停止させてもよい。
【００１６】
ところで、冷暖房室内端末と冷暖房室外機との間の電気的な配線に誤配線が存在しない時に、冷暖房室内端末の制御部は、誤配線を想定又は検出することがある。具体的には、冷暖房室内端末の初期温度又は室内の空気の初期温度が高い時に、加えて特に、冷暖房室内端末と冷暖房室外機との間の機械的な配管が長い時に、冷暖房室外機が冷房運転の開始を実施しても、冷暖房室内端末の熱交換器に取り込まれる媒体の温度が高い温度を有した状態で、媒体の温度が低下するために要する時間が長いことがある。このような状況において、第１の時点では、媒体の温度が第１の所定温度以上であることがある。
【００１７】
そこで、第２の態様では、第１の時点から第３の所定時間が経過する第３の時点で、冷暖房室内端末の制御部は、弁を冷房モードで開けて、その後に第４の所定時間が経過する第４の時点まで、弁での冷房モードを継続することができる。
【００１８】
同様に、冷暖房室内端末の初期温度又は室内の空気の初期温度が低い時に、加えて特に、冷暖房室内端末と冷暖房室外機との間の機械的な配管が長い時に、冷暖房室外機が暖房運転の開始を実施しても、冷暖房室内端末の熱交換器に取り込まれる媒体の温度が低い温度を有した状態で、媒体の温度が上昇するために要する時間が長いことがある。そこで、第２の態様では、第２の時点から第５の所定時間が経過する第５の時点で、冷暖房室内端末の制御部は、弁を暖房モードで開けて、その後に第６の所定時間が経過する第６の時点まで、弁での暖房モードを継続することができる。
【００１９】
加えて、第２の態様では、第１の時点又は第２の時点で報知部がユーザに所定の内容を報知した後であって、第１の期間又は第２の期間において誤配線が存在しないことを想定する時に、冷暖房室内端末の制御部は、その報知を停止することができる。
【００２０】
第１又は第２の態様に従属する第３の態様において、
前記所定の内容は、前記冷暖房室内端末と前記冷暖房室外機との間の電気的な配線における誤配線の存在であってもよい。
【００２１】
第３の態様では、ユーザは、報知部を介して、冷暖房室内端末と冷暖房室外機との間の電気的な配線に誤配線が存在するか否かを容易に認識することができる。
【００２２】
第４の態様において、冷暖房システムは、
少なくとも１つの冷暖房室内端末であって、請求項１乃至３の何れか１項に記載の前記冷暖房室内端末である前記少なくとも１つの冷暖房室内端末と、
前記少なくとも１つの冷暖房室内端末と接続される前記冷暖房室外機と、
を含む。
【００２３】
第４の態様では、冷暖房システムの冷暖房室内端末によって、冷暖房室内端末の熱交換器に取り込まれる媒体の温度に基づき、冷暖房室内端末と冷暖房室外機との間の電気的な配線に誤配線が存在するか否かを判定することができる。
【００２４】
第５の態様において、誤配線検出方法は、
冷暖房室内端末を準備する第１の工程と、
冷暖房室外機を準備する第２の工程と、
前記冷暖房室内端末と前記冷暖房室外機との間の機械的な配管及び電気的な配線を準備する第３の工程と、
冷房運転又は暖房運転の何れか一方の開始を指示するために、前記冷暖房室内端末から前記冷暖房室外機への単方向通信を前記配線で前記冷暖房室内端末側において実行する第４の工程と、
前記冷暖房室内端末の内部に設置される熱交換器に取り込まれる媒体の温度が、指示された前記一方とは異なる前記冷房運転又は前記暖房運転の何れか他方に基づく所望の温度に合致する時に、前記冷暖房室内端末において、前記配線に誤配線が存在することを検出する第５の工程と、
を含む。
【００２５】
第５の態様では、冷房運転又は暖房運転の何れか一方の開始を指示するために、単方向通信を冷暖房室内端末側において実行した後に、冷暖房室内端末の熱交換器に取り込まれる媒体の温度が、指示された運転とは異なる運転（反対の運転）に基づく所望の温度に合致するか否かを判定することができる。第５の態様では、媒体の温度が所望の温度に合致する時に、誤配線検出方法は、冷暖房室外機が誤配線によって反対の運転を実施していることを検出することができる。
【００２６】
第５の態様に従属する第６の態様において、誤配線検出方法は、
前記誤配線が存在する時に、前記冷暖房室内端末において前記熱交換器への前記媒体の取り込みを停止させるとともに、前記冷暖房室内端末の報知部に所定の動作を実行させる第６の工程と、
を更に含んでもよい。
【００２７】
第６の態様では、誤配線を検出する時に、誤配線検出方法は、熱交換器への媒体の取り込みを停止させることができ、これにより、冷暖房室内端末側において、冷暖房室外機での反対の運転を無効化することができる。同時に、誤配線検出方法は、報知部に所定の動作を実行させることができ、これにより、ユーザは、誤配線を認識することができる。
【００２８】
第７の態様において、誤配線検出方法は、
複数の冷暖房室内端末を準備する第１の工程と、
冷暖房室外機を準備する第２の工程と、
前記複数の冷暖房室内端末の各々と前記冷暖房室外機との間の機械的な配管及び電気的な配線を準備する第３の工程と、
冷房運転又は暖房運転の何れか一方の開始を指示するために、前記複数の冷暖房室内端末のうちの第１の冷暖房室内端末のみから前記冷暖房室外機への単方向通信を前記配線で前記第１の冷暖房室内端末側において実行する第４の工程と、
前記第１の冷暖房室内端末の内部に設置される熱交換器に取り込まれる媒体の温度が、指示された前記一方とは異なる前記冷房運転又は前記暖房運転の何れか他方に基づく所望の温度に合致する時に、前記第１の冷暖房室内端末のみにおいて、前記第１の冷暖房室内端末の前記熱交換器への前記媒体の取り込みを停止させるとともに、前記第１の冷暖房室内端末の報知部に所定の動作を実行させる第５の工程と、
を含む。
【００２９】
第７の態様では、冷房運転又は暖房運転の何れか一方の開始を指示するために、単方向通信を複数の冷暖房室内端末のうちの第１の冷暖房室内端末のみにおいて実行した後に、第１の冷暖房室内端末の熱交換器に取り込まれる媒体の温度が、指示された運転とは異なる運転（反対の運転）に基づく所望の温度に合致するか否かを判定することができる。第７の態様では、媒体の温度が所望の温度に合致する時に、誤配線検出方法は、冷暖房室外機が、第１の冷暖房室内端末に起因する誤配線によって反対の運転を実施していることを検出することができる。このような反対の運転（誤配線）を検出する時に、誤配線検出方法は、第１の冷暖房室内端末の熱交換器への媒体の取り込みを停止させることができ、これにより、第１の冷暖房室内端末側において、冷暖房室外機での反対の運転を無効化することができる。同時に、誤配線検出方法は、第１の冷暖房室内端末の報知部に所定の動作を実行させることができ、これにより、ユーザは、誤配線が第１の冷暖房室内端末に起因することを認識することができる。
【００３０】
第６又は第７の態様に従属する第８の態様において、
前記所定の動作は、光及び音の少なくとも１つの出力であってもよい。
【００３１】
第８の態様では、報知部が例えば点灯による光を出力することで、ユーザは、誤配線が存在することを容易に認識することができる。もちろん、第８の態様では、報知部は、光に代えて、又は光に加えて、音を出力してもよい。
【００３２】
当業者は、例示した本発明に従う態様が、本発明の精神を逸脱することなく、さらに変更され得ることを容易に理解できるであろう。
【図面の簡単な説明】
【００３３】
【図１】本発明に従う冷暖房室内端末の概略構成例及びその冷暖房室内端末に接続される冷暖房室外機の概略構成例を示すブロック図である。
【図２】図１の冷暖房室内端末と冷暖房室外機との間の電気的な配線を説明する図である。
【図３】図３（Ａ）、図３（Ｂ）及び図３（Ｃ）の各々は、誤配線を説明する図である。
【図４】図１の冷暖房室内端末の動作例を示すフローチャートである。
【図５】図４のフローチャートの変形例を説明する図である。
【図６】図６（Ａ）、図６（Ｂ）、図６（Ｃ）、図６（Ｄ）及び図６（Ｅ）は、図１の冷暖房室外機が冷房運転を開始する間の冷暖房室内端末の動作例を示すタイムチャートである。
【図７】図７（Ａ）、図７（Ｂ）、図７（Ｃ）及び図７（Ｄ）は、図１の冷暖房室外機が暖房運転を開始する間の冷暖房室内端末の動作例を示すタイムチャートである。
【図８】図１のブロック図の変形例を説明する図である。
【発明を実施するための形態】
【００３４】
以下に説明する最良の実施形態は、本発明を容易に理解するために用いられている。従って、当業者は、本発明が、以下に説明される実施形態によって不当に限定されないことを留意すべきである。
【００３５】
図１は、本発明に従う冷暖房室内端末の概略構成例及びその冷暖房室内端末に接続される冷暖房室外機の概略構成例を示すブロック図である。図１に示されるように、冷暖房室内端末１００は、熱交換器１０３及び制御部１０７を備え、熱交換器１０３は、制御部１０７によって制御される弁１０１を有する管１０２を介して、冷暖房室外機３００からの媒体を取り込み、その後に吐き出し可能である。
【００３６】
図１において、弁１０１は、例えば熱動弁であるが、これに限定されるものではなく、弁１０１は、１例として、弁本体（図示せず）と弁本体の開閉を管理可能なアクチュエータ（図示せず）とを有することができる。弁１０１又はアクチュエータは、例えばヒータ（図示せず）、熱動素子（図示せず）及び弾性部材（図示せず）を含み、制御部１０７は、ヒータに電流を流すことによってヒータを加熱し、熱動素子が膨張することによって弁１０１又弁本体は、開くことができる。ヒータの加熱が停止される時に、弾性部材の変形が元に戻り、弁１０１又弁本体は、閉じることができる。
【００３７】
管１０２を流れる媒体は、例えば液体、好ましくは不凍液であるが、これに限定されるものではない。また、図１において、管１０２からの媒体を熱交換器１０３内で循環させるために、管１０２に配置される循環ポンプ（図示せず）は、１例として、冷暖房室外機３００側に設けることができる。管１０２又は管１０２に配置される循環ポンプによって、媒体は、冷暖房室内端末１００と冷暖房室外機３００との間を往き戻り可能であり、具体的には、弁１０１が開いている時に、例えば循環液である媒体が熱交換器１０３の内部に熱交換器１０３の入口（管１０２）から流れ込み、例えば循環液が熱交換器１０３の内部から熱交換器１０３の出口（管１０２）に流れ出る。なお、図１において、弁１０１は、１例として、熱交換器１０３の出口側（戻り側）の管１０２に設けられている。
【００３８】
媒体又は循環液が冷暖房室外機３００の例えばヒートポンプ３０５及び熱交換器３０３によって加熱される時に、媒体又は循環液は、例えば温水として、熱交換器１０３に取り込まれる。言い換えれば、冷暖房室外機３００が暖房運転を実施する時に、冷暖房室内端末１００は、室内の空気と熱交換器１０３の温水との熱交換を熱交換器１０３で実行し、室内の空気を加熱可能である。次に、冷暖房室外機３００が冷房運転を実施する時に、例えばヒートポンプ３０５が逆回転し、媒体又は循環液が冷却されて、例えば冷水として、熱交換器１０３に取り込まれる。この時に、冷暖房室内端末１００は、室内の空気と熱交換器１０３の冷水との熱交換を熱交換器１０３で実行し、室内の空気を冷却可能である。
【００３９】
図１の冷暖房室内端末１００は、１例として、ファンコイルユニットであり、従って、冷暖房室内端末１００は、１例として、ファン１０５を備えることができる。制御部１０７は、ファン１０５の電源をＯＮさせることができ、ファン１０５によって室内に送り出される空気は、冷気となる。図１において、図１の冷暖房室内端末１００は、例えばファンコイルユニットであるが、冷暖房室内端末１００は、ファン１０５を備えなくてもよく、言い換えれば、冷暖房室内端末１００は、例えば冷温水パネル等の冷暖房パネルであってもよい。
【００４０】
図１に示されるように、冷暖房室内端末１００は、検出部１０４を備え、検出部１０４は、熱交換器１０３に取り込まれる媒体（例えば循環液又は冷温水）の温度を検出することができる。検出部１０４は、例えば温度センサであり、図１において、検出部１０４は、１例として、熱交換器１０３の入口側（往き側）の管１０２に設けられている。なお、検出部１０４又は温度センサは、管１０２内の媒体の温度を直接的に検出してもよく、或いは、管１０２の温度を媒体の温度として間接的に検出してもよい。
【００４１】
冷暖房室内端末１００が例えばファンコイルユニットである時に、冷暖房室内端末１００又はファンコイルユニットは、典型的には、他の検出部（例えば温度センサ）を備えることができ、室温も検出してもよい。制御部１０７は、例えば室温に応じて、ファン１０５の回転数（回転速度）を調整してもよい。好ましくは、制御部１０７に設定温度が設定されて、制御部１０７は、例えば室温と設定温度との差に応じて、ファン１０５の回転数を調整することができる。
【００４２】
図１に示されるように、冷暖房室内端末１００は、通信部１０８を備え、制御部１０７は、通信部１０８を介して、冷暖房室外機３００の例えば制御部３０７への単方向通信（１方向通信）を行うことができる。通信部１０８は、例えばＥ−ＣＯＮ仕様の出力コネクタであり、図１において、通信部１０８は、１例として、３つの接点（出力端子）を有している。なお、通信部１０８に接続される配線１０９は、図１において、例えば３本の電線で構成されている。
【００４３】
図１の冷暖房室内端末１００は、入力部を備えることができ、入力部は、例えば赤外線受信モジュールであるリモコン入力部（リモートコントローラ入力部）であるが、これに限定されるものではない。入力部がリモコン入力部である時に、ユーザは、図示されないリモコン（リモートコントローラ）を介して、冷房運転又は暖房運転の何れか一方を選択可能である。これに応じて、制御部１０７は、入力部又はリモコン入力部を介して、冷房運転又は暖房運転の何れか一方を設定可能である。具体的には、ユーザがリモコンの例えば冷房ボタン（図示せず）を押す時に、冷房運転の選択を表す信号がリモコンから送信され、リモコン入力部がその信号を受信し、制御部１０７は、冷房運転の選択を認識又は判定し、制御部１０７に冷房運転が設定される。
【００４４】
なお、制御部１０７は、例えばＣＰＵ、ＲＯＭ、ＲＡＭ等で構成されるマイコン（マイクロコンピュータ）であるが、これに限定されるものではない。制御部１０７がマイコンである時に、ＲＯＭは、ＣＰＵに所定の動作（誤配線検出方法を含む冷暖房室内端末運転方法）を実行させるプログラムを記憶し、ＲＡＭは、ＣＰＵのワーク領域を形成することができる。また、ＲＯＭは、制御部１０７に設定された運転及びその運転（誤配線検出を含む）を実行するために必要なデータを記憶することができる。
【００４５】
制御部１０７に冷房運転が設定される時に、制御部１０７は、冷房運転の開始を冷暖房室外機３００に指示するとともに、弁１０１を開けることができる。その後、制御部１０７は、検出部１０４によって検出される温度、即ち熱交換器１０３に取り込まれる媒体（例えば循環液）の温度に基づき、冷暖房室内端末１００と冷暖房室外機３００との間の電気的な配線１０９に誤配線が存在するか否かを判定することができる。次に、制御部１０７に暖房運転が設定される時も、制御部１０７は、冷暖房室内端末１００と冷暖房室外機３００との間の電気的な配線１０９に誤配線が存在するか否かを判定することができる。
【００４６】
図１の冷暖房室内端末１００は、報知部１０６を備えることができ、報知部１０６は、ユーザに所定の内容を報知可能である。所定の内容は、例えば、配線１０９に誤配線が存在することである。また、報知部１０６は、例えばＬＥＤである表示部（光を出力可能な光出力部）であるが、これに限定されるものではない。報知部１０６がＬＥＤである時に、制御部１０７は、ＬＥＤを点灯させることができる。これに応じて、ユーザは、配線１０９に誤配線が存在することを容易に認識することができる。なお、報知部１０６は、表示部の代わりに例えばブザー、スピーカ等である音出力部で構成されてもよく、或いは、報知部１０６は、光及び音を出力してもよい。
【００４７】
冷暖房室外機３００は、図１に限定されるものではないが、１例として、熱交換器３０３、ヒートポンプ３０５及び制御部３０７を備えている。言い換えれば、冷暖房室外機３００は、冷暖房運転を実施可能な周知の構成を採用することができる。但し、冷暖房室外機３００又はその制御部３０７は、冷暖房室内端末１００の制御部１０７からの単方向通信（受信）を行うことができる一方、制御部１０７への送信を行うことができない。言い換えれば、冷暖房室外機３００又は制御部３０７は、制御部１０７からの運転の開始（又は終了）を指示されるだけであり、実際に実施されている運転の内容（冷房運転又は暖房運転）を制御部１０７に伝えることができない。このように、冷暖房室内端末１００と冷暖房室外機３００との間の通信は、双方向通信ではない。
【００４８】
図２は、図１の冷暖房室内端末１００と冷暖房室外機３００との間の電気的な配線１０９を説明する図である。図２において、配線１０９は、１本目の電線として、例えば出力コネクタの出力端子１０８ａに接続される配線１０９ａと、配線１０９ａと配線１０９Ｌ１とを接続する例えば圧着端子である接続部と、配線１０９Ｌ１と、配線１０９Ｌ１と配線１０９Ａとを接続する例えば圧着端子である接続部と、配線１０９Ａと、を含んでいる。同様に、配線１０９は、２本目の電線として、配線１０９ｂと、配線１０９ｂと配線１０９Ｌ２とを接続する接続部と、配線１０９Ｌ２と、配線１０９Ｌ２と配線１０９Ｂとを接続する接続部と、配線１０９Ｂと、を含み、配線１０９は、３本目の電線として、配線１０９ｃと、配線１０９ｃと配線１０９Ｌ３とを接続する接続部と、配線１０９Ｌ３と、配線１０９Ｌ３と配線１０９Ｃとを接続する接続部と、配線１０９Ｃと、を含んでいる。
【００４９】
図２の配線１０９Ａ，１０９Ｂ，１０９Ｃは、冷暖房室外機３００の例えばＥ−ＣＯＮ仕様の入力コネクタ内の３つの接点（入力端子）に接続されている。図２において、配線１０９ａ，１０９Ａ、配線１０９ｂ，１０９Ｂ及び配線１０９ｃ，１０９Ｃは、それぞれ、例えば赤色、白色及び黒色の被覆を有することができる。
【００５０】
１例として、制御部１０７に冷房運転が設定される時に、制御部１０７は、出力端子１０８ｃ（黒）と出力端子１０８ａ（赤）との間を短絡させることができる。制御部３０７は、配線１０９Ｃに接続される入力端子（黒）と配線１０９Ａに接続される入力端子（赤）との間の短絡を検出可能であり、制御部３０７は、冷暖房室外機３００の冷房運転の開始を実施することができる。
【００５１】
次に、１例として、制御部１０７に暖房運転が設定される時に、制御部１０７は、出力端子１０８ｂ（白）と出力端子１０８ａ（赤）との間を短絡させることができる。制御部３０７は、配線１０９Ｂに接続される入力端子（白）と配線１０９Ａに接続される入力端子（赤）との間の短絡を検出可能であり、制御部３０７は、冷暖房室外機３００の暖房運転の開始を実施することができる。
【００５２】
図３（Ａ）、図３（Ｂ）及び図３（Ｃ）の各々は、誤配線を説明する図である。図３（Ａ）において、出力端子１０８ａ（赤）は、配線１０９Ａに接続される入力端子（赤）と正しく接続される一方、出力端子１０８ｃ（黒）及び出力端子１０８ｂ（白）は、それぞれ、配線１０９Ｂ及び配線１０９Ｃに接続される入力端子（白）及び入力端子（黒）に誤って接続されている。冷暖房室内端末１００及び冷暖房室外機３００を準備、特に初期設置する時に、このような誤配線も準備されることがある。特に、配線１０９Ｌ１，１０９Ｌ２，１０９Ｌ３のすべてが例えば同色の被覆を有する時に、誤配線が発生し得る。もちろん、配線１０９Ｌ１、配線１０９Ｌ２及び配線１０９Ｌ３がそれぞれ例えば赤色、白色及び黒色の被覆を有する時にも、例えば設置者であるユーザの不注意によって誤配線は発生し得る。
【００５３】
図３（Ａ）に示す誤配線が存在する状態で、制御部１０７に冷房運転が設定される時に、制御部１０７は、出力端子１０８ｃ（黒）と出力端子１０８ａ（赤）との間を短絡させることができる。これにより、配線１０９Ｂに接続される入力端子（白）と配線１０９Ａに接続される入力端子（赤）との間の短絡が検出されるので、制御部３０７は、冷暖房室外機３００の冷房運転と反対である暖房運転の開始を誤って実施してしまう。
【００５４】
次に、図３（Ａ）に示す誤配線が存在する状態で、制御部１０７に暖房運転が設定される時に、制御部１０７は、出力端子１０８ｂ（白）と出力端子１０８ａ（赤）との間を短絡させることができる。これにより、配線１０９Ｃに接続される入力端子（黒）と配線１０９Ａに接続される入力端子（赤）との間の短絡が検出されるので、制御部３０７は、冷暖房室外機３００の暖房運転と反対である冷房運転の開始を誤って実施してしまう。
【００５５】
図３（Ｂ）に示す誤配線が存在する状態で、制御部１０７に冷房運転が設定される時に、制御部１０７は、出力端子１０８ｃ（黒）と出力端子１０８ａ（赤）との間を短絡させることができる。これにより、配線１０９Ｂに接続される入力端子（白）と配線１０９Ｃに接続される入力端子（黒）との間が短絡されるだけなので、制御部３０７は、冷暖房室外機３００の冷房運転及び暖房運転の何れも実施することができない。
【００５６】
次に、図３（Ｂ）に示す誤配線が存在する状態で、制御部１０７に暖房運転が設定される時に、制御部１０７は、出力端子１０８ｂ（白）と出力端子１０８ａ（赤）との間を短絡させることができる。これにより、配線１０９Ａに接続される入力端子（赤）と配線１０９Ｃに接続される入力端子（黒）との間の短絡が検出されるので、制御部３０７は、冷暖房室外機３００の暖房運転と反対である冷房運転の開始を誤って実施してしまう。
【００５７】
図３（Ｃ）に示す誤配線が存在する状態で、制御部１０７に冷房運転が設定される時に、制御部１０７は、出力端子１０８ｃ（黒）と出力端子１０８ａ（赤）との間を短絡させることができる。これにより、配線１０９Ａに接続される入力端子（赤）と配線１０９Ｂに接続される入力端子（白）との間の短絡が検出されるので、制御部３０７は、冷暖房室外機３００の冷房運転と反対である暖房運転の開始を誤って実施してしまう。
【００５８】
次に、図３（Ｃ）に示す誤配線が存在する状態で、制御部１０７に暖房運転が設定される時に、制御部１０７は、出力端子１０８ｂ（白）と出力端子１０８ａ（赤）との間を短絡させることができる。これにより、配線１０９Ｃに接続される入力端子（黒）と配線１０９Ｂに接続される入力端子（白）との間が短絡されるだけなので、制御部３０７は、冷暖房室外機３００の冷房運転及び暖房運転の何れも実施することができない。
【００５９】
図３（Ａ）、図３（Ｂ）及び図３（Ｃ）の何れかに示す誤配線が存在する状態で、冷暖房室外機３００は、誤配線によって反対の運転を実施することがある。従って、冷暖房室内端末１００の熱交換器１０３に取り込まれる媒体（例えば循環液）の温度は、冷暖房室外機３００によって誤って実施されている反対の運転に基づく所望の温度になってしまう。言い換えれば、冷暖房室外機３００が反対の運転を実施する時に、冷暖房室内端末１００は、熱交換器１０３に取り込まれる媒体の温度に基づき、冷暖房室外機３００での反対運転の実施を検出することによって、誤配線を検出することができる。
【００６０】
図４は、図１の冷暖房室内端末１００の動作例を示すフローチャートである。冷暖房室内端末１００の動作を説明する前に、その前提として、冷暖房室内端末１００が準備又は設置され、冷暖房室外機３００も準備又は設置され、冷暖房室内端末１００と冷暖房室外機３００との間の電気的な配線１０９も準備又は設置されている。冷暖房室内端末１００の電源（本体電源）がＯＮされ、冷暖房室外機３００の電源（本体電源）もＯＮされて、冷暖房室内端末１００は、冷暖房室外機３００に冷房運転又は暖房運転の開始を指示可能である。例えば設置者であるユーザが例えば冷暖房室内端末１００の試運転として、例えばリモコンを操作することができる。
【００６１】
冷暖房室内端末１００の電源がＯＮされる時に、冷暖房室内端末１００は、ユーザ（例えば設置者）からの操作又は選択を待つことができる。具体的には、冷暖房室内端末１００の制御部１０７は、例えば入力部を介して冷房運転又は暖房運転の何れか一方の操作又は選択を待ち、その操作又は選択に従って冷暖房室内端末１００内での運転を準備する。
【００６２】
次に、冷暖房室内端末１００の制御部１０７は、冷房運転又は暖房運転の何れか一方の操作又は選択に基づき制御部１０７自身（例えばＲＯＭ等のメモリ）に冷房運転又は暖房運転が設定されているか否か、即ち冷暖房室外機３００に冷房運転又は暖房運転の開始を準備させる又は指示する状況にあるか否かを判定することができる（図４のステップＳＴ０１）。制御部１０７に冷房運転又は暖房運転の何れか一方が実際に設定される時に、冷暖房室外機３００に暖房運転の開始を指示すること、或いは、冷暖房室外機３００に冷房運転の開始を指示することを判定することができる（図４のステップＳＴ０２）。
【００６３】
冷暖房室内端末１００が冷暖房室外機３００に暖房運転の開始を指示しない時に、従って、冷暖房室内端末１００が冷暖房室外機３００に冷房運転の開始を指示する時に、冷暖房室内端末１００の制御部１０７は、例えば図２の出力端子１０８ｃ（黒）と出力端子１０８ａ（赤）との間を短絡させることができる。配線１０９に誤配線が存在しない時に、冷暖房室外機３００は、冷房運転の実施を開始し、冷暖房室内端末１００への媒体を冷却することができる。一方、配線１０９に誤配線が存在する時に、冷暖房室外機３００は、暖房運転の実施を開始することがあり、冷暖房室内端末１００への媒体を加熱してしまうことがある。
【００６４】
次に、冷暖房室外機３００からの媒体を取り込むために、言い換えれば冷暖房室内端末１００内での運転を開始するために、制御部１０７は、図１の弁１０１を開くことができる（図４のステップＳＴ０３）。
【００６５】
その後、制御部１０７は、指示した冷房運転と反対の暖房運転が冷暖房室外機３００によって実施されているか否か、即ち冷暖房室内端末１００の熱交換器１０３に取り込まれる媒体の温度が高くなっているか否かを判定することができる（図４のステップＳＴ０４）。１例として、冷暖房室外機３００が暖房運転を誤って実施する状態で、冷暖房室内端末１００が弁１０１を開いた後に、一定時間経過する時に、媒体の温度が例えば摂氏３２［ｄｅｇｒｅｅ］以上になることが想定又は期待される。
【００６６】
冷暖房室内端末１００が冷房運転の開始を冷暖房室外機３００に指示する間であって、冷暖房室内端末１００側で媒体の高温が検出される時に、冷暖房室内端末１００内での運転を停止するために、制御部１０７は、図１の弁１０１を閉じることができる（図４のステップＳＴ０５）。特に、気温が高い又は夏である時に、熱交換器３０３で室内の空気を加熱してしまうので、媒体の高温が検出される時に、弁１０１を閉じることは好ましい。例えばファンコイルユニットである冷暖房室内端末１００が冷房運転の開始を冷暖房室外機３００に指示する状態で、ファン１０５が駆動される時に、冷暖房室内端末１００から送り出される温風の温度は、弁１０１が閉じることによって低減される。その後、制御部１０７は、制御部１０７自身に設定された冷房運転をリセットしてもよく、従って、例えば図２の出力端子１０８ｃ（黒）と出力端子１０８ａ（赤）との間の短絡も停止させてもよい。
【００６７】
冷暖房室内端末１００が冷房運転の開始を冷暖房室外機３００に指示する間であって、冷暖房室内端末１００側で媒体の高温が検出される時に、配線１０９に誤配線が存在することをユーザ（例えば冷暖房室内端末１００を試運転する設置者）に報知するために、制御部１０７は、報知部１０６の動作として例えばお知らせランプを点灯させることができる（図４のステップＳＴ０６）。
【００６８】
冷暖房室内端末１００が冷房運転の開始を冷暖房室外機３００に指示する間であって、冷暖房室内端末１００側で媒体の高温が検出されない時に、制御部１０７は、冷房運転の選択又は操作の継続を確認し（図４のステップＳＴ０１，ＳＴ０２）、冷暖房室内端末１００は冷房運転（熱交換器１０３の有効化）の制御及び高温検出の制御を継続することができる（ステップＳＴ０３，ＳＴ０４）。
【００６９】
冷房運転から暖房運転に制御部１０７上の設定が変更される時に、或いは、冷暖房室内端末１００の最初の試運転で冷暖房室外機３００に暖房運転の開始が指示される時に、冷暖房室内端末１００は、冷暖房室外機３００に暖房運転の開始を指示することができる（図４のステップＳＴ０１，ＳＴ０２）。冷暖房室内端末１００が冷暖房室外機３００に暖房運転の開始を指示する時に、冷暖房室内端末１００の制御部１０７は、例えば図２の出力端子１０８ｂ（白）と出力端子１０８ａ（赤）との間を短絡させることができる。配線１０９に誤配線が存在しない時に、冷暖房室外機３００は、暖房運転の実施を開始し、冷暖房室内端末１００への媒体を加熱することができる。一方、配線１０９に誤配線が存在する時に、冷暖房室外機３００は、冷房運転の実施を開始することがあり、冷暖房室内端末１００への媒体を冷却してしまうことがある。
【００７０】
次に、冷暖房室外機３００からの媒体を取り込むために、言い換えれば冷暖房室内端末１００内での運転を開始するために、制御部１０７は、図１の弁１０１を開くことができる（図４のステップＳＴ０７）。
【００７１】
その後、制御部１０７は、指示した暖房運転と反対の冷房運転が冷暖房室外機３００によって実施されているか否か、即ち冷暖房室内端末１００の熱交換器１０３に取り込まれる媒体の温度が低くなっているか否かを判定することができる（図４のステップＳＴ０８）。１例として、冷暖房室外機３００が冷房運転を誤って実施する状態で、冷暖房室内端末１００が弁１０１を開いた後に、一定時間経過する時に、媒体の温度が例えば摂氏２０［ｄｅｇｒｅｅ］未満になることが想定又は期待される。
【００７２】
冷暖房室内端末１００が暖房運転の開始を冷暖房室外機３００に指示する間であって、冷暖房室内端末１００側で媒体の低温が検出される時に、冷暖房室内端末１００内での運転を停止するために、制御部１０７は、図１の弁１０１を閉じることができる（図４のステップＳＴ０５）。特に、気温が低い又は冬である時に、熱交換器３０３及び冷暖房室内端末１００の上に水滴（結露）が発生する可能性もあるので、媒体の低温が検出される時に、弁１０１を閉じることは好ましい。
【００７３】
冷暖房室内端末１００が暖房運転の開始を冷暖房室外機３００に指示する間であって、冷暖房室内端末１００側で媒体の低温が検出される時に、制御部１０７は、ステップＳＴ０５に加えて報知部１０６の動作として例えばお知らせランプを点灯させることができる（図４のステップＳＴ０６）。
【００７４】
ところで、冷暖房室内端末１００が暖房運転の開始を冷暖房室外機３００に指示する時にお知らせランプが点灯するとともに、冷暖房室内端末１００が冷房運転の開始を冷暖房室外機３００に指示する時にもお知らせランプが点灯する時に、制御部１０７又はユーザは、例えば図３（Ａ）で示される誤配線を検出又は認識することができる。
【００７５】
また、冷暖房室内端末１００が暖房運転の開始を冷暖房室外機３００に指示する時だけにお知らせランプが点灯する時に、制御部１０７又はユーザは、例えば図３（Ｂ）で示される誤配線を検出又は想定することができる。同様に、冷暖房室内端末１００が冷房運転の開始を冷暖房室外機３００に指示する時だけにお知らせランプが点灯する時に、制御部１０７又はユーザは、例えば図３（Ｃ）で示される誤配線を検出又は想定することができる。
【００７６】
図５は、図４のフローチャートの変形例を説明する図である。図５に示されるように、冷暖房室内端末１００が冷房運転の開始を冷暖房室外機３００に指示する間であって、冷暖房室内端末１００側で媒体の高温が検出されて、お知らせランプを点灯させた後に（図５のステップＳＴ０４，ＳＴ０６）、制御部１０７は、冷房運転の選択又は操作の継続を前提として、冷暖房室内端末１００内での運転を継続することができる。従って、冷暖房室内端末１００は、冷房運転（熱交換器１０３の有効化）の制御及び高温検出の制御を継続することができる（ステップＳＴ０９，ＳＴ１０）。
【００７７】
図５のステップＳＴ０９での熱交換器１０３の有効化は、例えば一定期間だけ実行される（ステップＳＴ１０）。具体的には、ステップＳＴ０４において媒体の高温が検出され、その後のステップＳＴ１０で一定期間においても媒体の高温の検出が継続さる時に、冷暖房室内端末１００は、冷房運転の制御を停止して、熱交換器１０３の無効化することができる（ステップＳＴ０９，ＳＴ１１）。
【００７８】
図５のＳＴ０９での熱交換器１０３の有効化は、基本的には一定期間だけ実行されるが、その一定期間の途中で、ステップＳＴ１０において媒体の高温が検出されない時に、制御部１０７は、ステップＳＴ１１を実行しないで、熱交換器１０３の有効化を継続するとともに、制御部１０７は、報知部１０６の動作として例えばお知らせランプを消灯させることができる（ステップＳＴ１２）。
【００７９】
実際には、冷暖房室内端末１００と冷暖房室外機３００との間の電気的な配線１０９に誤配線が存在しない時に、冷暖房室内端末１００の制御部１０７は、誤配線を一時的に想定又は検出することがある（図５のステップＳＴ０４）。具体的には、冷暖房室内端末１００の初期温度又は室内の空気の初期温度が高い時に、ステップＳＴ０４において媒体の高温が検出されることがある。１例として、冷暖房室内端末１００の最初の試運転で冷暖房室外機３００に暖房運転の開始が指示される時に、媒体の温度が高くなり、その後に、暖房運転から冷房運転に制御部１０７上の設定が変更されることがある。このような状況において、ステップＳＴ０４では、媒体の温度が例えば摂氏３２［ｄｅｇｒｅｅ］以上になることがある。
【００８０】
特に、冷暖房室内端末１００と冷暖房室外機３００との間の機械的な配管である管１０２が長い時に、冷暖房室外機３００が暖房運転から冷房運転に切り替わったとしても、冷暖房室内端末１００の熱交換器１０３に取り込まれる媒体の温度が図５のステップＳＴ０４で高い温度を有した状態で、ステップＳＴ１０で媒体の温度が低下するために要する時間が長いことがある。従って、冷暖房室内端末１００は、ステップＳＴ１１を実行した後に、媒体の高温が検出されるまで、ステップＳＴ０９，ＳＴ１０を繰り返すことができる。
【００８１】
また、図５に示されるように、冷暖房室内端末１００が暖房運転の開始を冷暖房室外機３００に指示する間であって、冷暖房室内端末１００側で媒体の低温が検出されて、お知らせランプを点灯させた後に（図５のステップＳＴ０８，ＳＴ１３）、制御部１０７は、暖房運転の選択又は操作の継続を前提として、冷暖房室内端末１００内での運転を継続することができる。従って、冷暖房室内端末１００は、暖房運転（熱交換器１０３の有効化）の制御及び低温検出の制御を継続することができる（ステップＳＴ１５，ＳＴ１６）。
【００８２】
実際には、冷暖房室内端末１００と冷暖房室外機３００との間の電気的な配線１０９に誤配線が存在しない時に、冷暖房室内端末１００の制御部１０７は、図５のステップＳＴ０８で誤配線を一時的に想定又は検出することがあるからである。具体的には、冷暖房室内端末１００の初期温度又は室内の空気の初期温度が低い時に、ステップＳＴ０８では、媒体の温度が例えば摂氏２０［ｄｅｇｒｅｅ］未満になることがある。
【００８３】
特に、冷暖房室内端末１００と冷暖房室外機３００との間の機械的な配管である管１０２が長い時に、冷暖房室外機３００が冷房運転から暖房運転に切り替わったとしても、冷暖房室内端末１００の熱交換器１０３に取り込まれる媒体の温度がステップＳＴ０８で低い温度を有した状態で、ステップＳＴ１６で媒体の温度が上昇するために要する時間が長いことがある。従って、冷暖房室内端末１００は、ステップＳＴ１７を実行した後に、媒体の低温が検出されるまで、ステップＳＴ１５，ＳＴ１６を繰り返すことができる。
【００８４】
図６（Ａ）、図６（Ｂ）、図６（Ｃ）、図６（Ｄ）及び図６（Ｅ）は、図１の冷暖房室外機３００が冷房運転を開始する間の冷暖房室内端末１００の動作例を示すタイムチャートである。冷暖房室内端末１００の動作を説明する前に、その前提として、例えば時刻ｔ０でユーザがリモコンを操作し、これにより、冷暖房室内端末１００が起動すると同時に、冷房運転が冷暖房室内端末１００に設定されることになる。また、冷暖房室内端末１００の初期温度は、高くなっている。
【００８５】
例えば時刻ｔ０で冷房運転が冷暖房室内端末１００に設定される時に、冷暖房室内端末１００は、冷房運転の開始を冷暖房室外機３００に指示するとともに（図６（Ａ）参照）、弁１０１の開放を開始する（図６（Ｂ）参照）。図６（Ａ）に示されるように、時刻ｔ０以降、冷暖房室外機３００への指示は、継続されている。
【００８６】
図６（Ｂ）に示されるように、時刻ｔ０以降、弁１０１は、徐々に開き、その後、時刻ｔ１まで、弁１０１の全開が継続されている。言い換えれば、図６（Ｂ）での弁１０１の動作は、冷暖房室内端末１００内での通常の運転に基づき、弁１０１は、時刻ｔ０から時刻ｔ１まで冷房モードで開けられている。なお、冷暖房室内端末１００に設定されている冷房モードは、図６（Ｂ）に限定されず、時刻ｔ０で、弁１０１は、例えば瞬時に全開にされてもよい。
【００８７】
好ましくは、冷房モードは、冷暖房室内端末１００の設置直後に実施される設置者による試運転だけでなく、その後に実施される典型的なユーザによる通常運転にも使用される通常の冷房モード（共用の冷房モード）である。冷房モードが通常の冷房モードである時に、冷暖房室内端末１００の試運転（誤配線検出）だけに実行される弁１０１の動作に必要なデータは、冷暖房室内端末１００に設定する必要がない。
【００８８】
図６（Ｃ）に示されるように、時刻ｔ０で冷暖房室内端末１００が起動する時に、冷暖房室内端末１００に取り込まれる媒体の初期温度は、高くなっている。図６（Ｃ）において、時刻ｔ０以降、冷暖房室内端末１００は、常に媒体の温度を検出しているが、必要とされるタイミングだけ、媒体の温度を検出してもよい。図６（Ｄ）に示されるように、時刻ｔ０で高温が検出される状態であるが、冷暖房室内端末１００は、必要とされるタイミング、即ち時刻ｔ１以降に、報知として例えばお知らせ表示を実行することができる。
【００８９】
図１の冷暖房室内端末１００がファンコイルユニットである時に、冷暖房室内端末１００内での運転として、弁１０１の動作だけでなく、ファン１０５の動作も実行される。好ましくは、ファン１０５は、通常の冷房モードで駆動され、１例として、ファン１０５の回転数は、室温と設定温度との差に応じて例えば５段階のうちの１つに設定される（図６（Ｅ）参照）。なお、ファン１０５の駆動を開始する時に、時刻ｔ０以降、ファン１０５の回転数は、徐々に又は階段状に増加してもよい。言い換えれば、通常の冷房モードに臭い低減機能が付加されている時に、時刻ｔ０付近でのファン１０５の回転数を制限してもよい。
【００９０】
図６（Ｅ）において、冷暖房室外機３００への指示の継続に伴って、ファン１０５は、時刻ｔ０以降常に駆動されているが、弁１０１の動作に伴って、ファン１０５の駆動は、停止されてもよい。好ましくは、時刻ｔ１から時刻ｔ３までの期間に、言い換えればお知らせ表示が実行されて、弁１０１が停止モードで閉じる時に、ファン１０５は、駆動されている（図６（Ｅ）参照）。特に、気温が高い又は夏である時に、熱交換器３０３で室内の空気が冷却されなくても、室内の空気がファン１０５の駆動で循環することによって、室内空間全体における温度を均一化することができるとともに（空調負荷の軽減）、室内にいるユーザは、気流によって涼しく感じることができる（サーキュレーション効果の取得）。
【００９１】
冷暖房室内端末１００は、弁１０１を冷房モードで開けて、その後に例えば１５［ｍｉｎ］である所定時間（第１の所定時間）が経過する時刻ｔ１（第１の時点）で、媒体の温度が例えば摂氏３２［ｄｅｇｒｅｅ］である所定温度（第１の所定温度）以上であるか否かを判定することができる。時刻ｔ１で媒体の温度が例えば摂氏３２［ｄｅｇｒｅｅ］以上であるので、図６（Ｃ）に示されるように、媒体の高温が検出されることになる。従って、冷暖房室内端末１００は、時刻ｔ１で弁１０１を停止モードで閉じる（図６（Ｂ）参照）。なお、時刻ｔ１で、弁１０１は、例えば瞬時に全閉にされてもよい。加えて、冷暖房室内端末１００は、時刻ｔ１でお知らせ表示を実行することができる（図６（Ｄ）参照）。
【００９２】
実際には、冷暖房室内端末１００と冷暖房室外機３００との間の電気的な配線１０９に誤配線が存在しない時に、弁１０１を閉じた時刻ｔ１でお知らせ表示が実行されることがある。従って、冷暖房室内端末１００は、例えば図５のステップＳＴ０９，ＳＴ１０，ＳＴ１１を実行することができる。具体的には、時刻ｔ１（弁１０１を閉じた第１の時点又はお知らせ表示を実行した第１の時点）から例えば１５［ｍｉｎ］である所定時間（第３の所定時間）が経過する時刻ｔ３（第３の時点）で、冷暖房室内端末１００は、弁１０１を冷房モードで開けて（図６（Ｂ）参照）、その後に例えば５［ｍｉｎ］である所定時間（第４の所定時間）が経過する時刻ｔ４（第４の時点）まで、弁１０１を冷房モードで開けることを継続する（ステップＳＴ１１）。１例において、時刻ｔ３から時刻ｔ４までの期間（第１の期間）の終端である時刻ｔ４で媒体の温度が摂氏３２［ｄｅｇｒｅｅ］以上でないので、図６（Ｃ）に示されるように、媒体の高温が検出されないことになる。これに応じて、冷暖房室内端末１００は、時刻ｔ４でお知らせ表示を取り消すことができる（図６（Ｄ）参照）。
【００９３】
なお、冷暖房室内端末１００は、時刻ｔ１から時刻ｔ３までの期間、例えば図５のステップＳＴ０５に従って弁１０１を閉じることができる（図６（Ｂ）参照）。即ち、ステップＳＴ０５からステップＳＴ０９までの間は、冷暖房室内端末１００内での熱交換器１０３を無効化することによって、熱交換器１０３に取り込まれる媒体の温度の低下を促進させることができる。従って、ステップＳＴ０５を実行した後に、好ましくは、冷暖房室内端末１００は、制御部１０７自身に設定された冷房運転をリセットしない、即ち、例えば図２の出力端子１０８ｃ（黒）と出力端子１０８ａ（赤）との間の短絡を継続させて、時刻ｔ１から時刻ｔ３までの期間、冷暖房室外機３００への指示は、継続されている（図６（Ａ）参照）。
【００９４】
また、時刻ｔ３から時刻ｔ４までの期間（第１の期間）、冷暖房室内端末１００は、常に、或いはリアルタイムに、高温検出の制御（図５のステップＳＴ１０）を継続することができる。従って、仮に、時刻ｔ３から時刻ｔ４までの期間の途中のある時刻で、媒体の高温が検出されない時に、冷暖房室内端末１００は、その途中のある時点でお知らせ表示を取り消すことができる。代替的に、誤判定を低減させるために、弁１０１を開けた時刻ｔ３から例えば３［ｍｉｎ］である一定時間を経過する次の時刻（ｔ３＋３［ｍｉｎ］）から時刻ｔ４までの期間、冷暖房室内端末１００は、常に、或いはリアルタイムに、高温検出の制御（図５のステップＳＴ１０）を継続することができる。従って、仮に、次の時刻（ｔ３＋３［ｍｉｎ］）から時刻ｔ４までの期間の途中のある時刻で、媒体の高温が検出されない時に、冷暖房室内端末１００は、その途中のある時点でお知らせ表示を取り消すことができる。
【００９５】
他方、仮に、時刻ｔ３から時刻ｔ４までの期間（第１の期間）のすべてにおいて媒体の高温が検出される時に、時刻ｔ４で弁１０１は閉じられ、時刻ｔ４以降もお知らせ表示は継続されることになる。代替的に、時刻ｔ３から次の時刻（ｔ３＋３［ｍｉｎ］）までの期間に高温検出の制御が停止される時に、仮に、次の時刻（ｔ３＋３［ｍｉｎ］）から時刻ｔ４までの期間のすべてにおいて媒体の高温が検出される時に、時刻ｔ４で弁１０１は閉じられ、時刻ｔ４以降もお知らせ表示は継続されることになる。
【００９６】
１例として、図６（Ｂ）において、時刻ｔ１で媒体の温度が摂氏３２［ｄｅｇｒｅｅ］以上である時に、冷暖房室内端末１００は、弁１０１を閉じているが、誤判定を低減させるために、以下のように冷暖房室内端末１００の動作を変更することができる。具体的には、時刻ｔ１で媒体の温度が摂氏３２［ｄｅｇｒｅｅ］以上であり、且つ時刻ｔ１から例えば１［ｍｉｎ］である一定時間を経過する次の時刻（ｔ１＋１［ｍｉｎ］）までの間、媒体の温度が摂氏３２［ｄｅｇｒｅｅ］以上であり続ける時に、冷暖房室内端末１００は、弁１０１を閉じることができる。
【００９７】
図７（Ａ）、図７（Ｂ）、図７（Ｃ）及び図７（Ｄ）は、図１の冷暖房室外機３００が暖房運転を開始する間の冷暖房室内端末１００の動作例を示すタイムチャートである。冷暖房室内端末１００の動作を説明する前に、その前提として、例えば時刻ｔ０'でユーザがリモコンを操作し、これにより、冷暖房室内端末１００が起動すると同時に、暖房運転が冷暖房室内端末１００に設定されることになる。また、冷暖房室内端末１００の初期温度は、低くなっている。
【００９８】
例えば時刻ｔ０'で暖房運転が冷暖房室内端末１００に設定される時に、冷暖房室内端末１００は、暖房運転の開始を冷暖房室外機３００に指示するとともに（図７（Ａ）参照）、弁１０１の開放を開始する（図７（Ｂ）参照）。図７（Ｂ）に示されるように、時刻ｔ０'に遅延時間を付加し、時刻ｔ０'から例えば３［ｍｉｎ］である一定時間を経過する次の時刻（ｔ０'＋３［ｍｉｎ］）で、弁１０１が開かれる。但し、媒体の温度の上昇が促進されることを待たないで、冷暖房室内端末１００は、時刻ｔ０'で弁１０１を開いてもよい。
【００９９】
図７（Ｂ）に示されるように、次の時刻（ｔ０'＋３［ｍｉｎ］）以降、弁１０１は、徐々に開き、その後、弁１０１の全開が一定期間だけ継続されている。再び、弁１０１は、徐々に開き、その後、弁１０１の全開が一定期間だけ継続されている。言い換えれば、図７（Ｂ）での弁１０１の動作は、冷暖房室内端末１００内での通常の運転に基づき、弁１０１は、次の時刻（ｔ０'＋３［ｍｉｎ］）から時刻ｔ２まで、暖房モード（好ましくは通常の暖房モード）で開けられている。暖房モードでは、典型的には、弁１０１は、間欠的に開かれる。なお、図１の冷暖房室内端末１００がファンコイルユニットである時に、冷暖房室内端末１００内での運転として、ファン１０５の動作は、典型的には、実行されない。
【０１００】
図７（Ｃ）に示されるように、時刻ｔ０'で冷暖房室内端末１００が起動する時に、冷暖房室内端末１００に取り込まれる媒体の初期温度は、低くなっている。図７（Ｃ）において、時刻ｔ０'以降、冷暖房室内端末１００は、常に媒体の温度を検出しているが、必要とされるタイミングだけ、媒体の温度を検出してもよい。図７（Ｄ）に示されるように、時刻ｔ０'で高温が検出される状態であるが、冷暖房室内端末１００は、必要とされるタイミング、即ち時刻ｔ２以降に、報知として例えばお知らせ表示を実行することができる。
【０１０１】
冷暖房室内端末１００は、弁１０１を暖房モードで開けて、その後に例えば１０［ｍｉｎ］である所定時間（第２の所定時間）が経過する時刻ｔ２（第２の時点）で、媒体の温度が例えば摂氏２０［ｄｅｇｒｅｅ］である所定温度（第２の所定温度）未満であるか否かを判定することができる。時刻ｔ２で媒体の温度が例えば摂氏２０［ｄｅｇｒｅｅ］未満であるので、図７（Ｃ）に示されるように、媒体の低温が検出されることになる。従って、冷暖房室内端末１００は、時刻ｔ２で弁１０１を停止モードで閉じる（図７（Ｂ）参照）。加えて、冷暖房室内端末１００は、時刻ｔ２でお知らせ表示を実行することができる（図７（Ｄ）参照）。
【０１０２】
弁１０１が間欠的に開かれる時に、弁１０１を閉じるか否かを判定するための時刻ｔ２、言い換えれば、お知らせ表示を実行するか否かを判定するための時刻ｔ２は、弁１０１が実際に開いている時刻に設定されることが好ましい。更に好ましくは、時刻ｔ２は、弁１０１が十分に開いている状態、例えば、弁１０１の全開の継続が終了する一定期間の終端である時刻である。図７（Ｂ）において、時刻ｔ２は、弁１０１の２回目の全開の継続が終了する一定期間の終端である時刻である。
【０１０３】
実際には、冷暖房室内端末１００と冷暖房室外機３００との間の電気的な配線１０９に誤配線が存在しない時に、弁１０１を閉じた時刻ｔ２でお知らせ表示が実行されることがある。従って、冷暖房室内端末１００は、例えば図５のステップＳＴ１５，ＳＴ１６，ＳＴ１７を実行することができる。具体的には、時刻ｔ２（弁１０１を閉じた第２の時点又はお知らせ表示を実行した第２の時点）から例えば１５［ｍｉｎ］である所定時間（第５の所定時間）が経過する時刻ｔ５（第５の時点）で、冷暖房室内端末１００は、弁１０１を暖房モードで開けて（図７（Ｂ）参照）、その後に例えば５［ｍｉｎ］である所定時間（第６の所定時間）が経過する時刻ｔ６（第６の時点）まで、弁１０１を暖房モードで開けることを継続する（ステップＳＴ１７）。１例において、時刻ｔ５から時刻ｔ６までの期間（第２の期間）の終端である時刻ｔ６で媒体の温度が摂氏２０［ｄｅｇｒｅｅ］未満でないので、図７（Ｃ）に示されるように、媒体の高温が検出されないことになる。これに応じて、冷暖房室内端末１００は、時刻ｔ６でお知らせ表示を取り消すことができる（図７（Ｄ）参照）。
【０１０４】
なお、冷暖房室内端末１００は、時刻ｔ２から時刻ｔ５までの期間、例えば図５のステップＳＴ１３に従って弁１０１を閉じることができる（図７（Ｂ）参照）。即ち、ステップＳＴ１３からステップＳＴ１５までの間は、冷暖房室内端末１００内での熱交換器１０３を無効化することによって、熱交換器１０３に取り込まれる媒体の温度の上昇を促進させることができる。従って、ステップＳＴ１３を実行した後に、好ましくは、冷暖房室内端末１００は、制御部１０７自身に設定された暖房運転をリセットしない、即ち、例えば図２の出力端子１０８ｂ（白）と出力端子１０８ａ（赤）との間の短絡を継続させて、時刻ｔ２から時刻ｔ５までの期間、冷暖房室外機３００への指示は、継続されている（図７（Ａ）参照）。
【０１０５】
また、時刻ｔ５から時刻ｔ６までの期間（第２の期間）、冷暖房室内端末１００は、常に、或いはリアルタイムに、低温検出の制御（図５のステップＳＴ１６）を継続することができる。代替的に、誤判定を低減させるために、弁１０１を開けた時刻ｔ５から例えば３［ｍｉｎ］である一定時間を経過する次の時刻（ｔ５＋３［ｍｉｎ］）から時刻ｔ６までの期間、冷暖房室内端末１００は、常に、或いはリアルタイムに、低温検出の制御（図５のステップＳＴ１６）を継続することができる。
【０１０６】
仮に、時刻ｔ５から時刻ｔ６までの期間（第２の期間）のすべてにおいて媒体の低温が検出される時に、時刻ｔ６で弁１０１は閉じられ、時刻ｔ６以降もお知らせ表示は継続されることになる。代替的に、時刻ｔ５から次の時刻（ｔ５＋３［ｍｉｎ］）までの期間に高温検出の制御が停止される時に、仮に、次の時刻（ｔ５＋３［ｍｉｎ］）から時刻ｔ６までの期間のすべてにおいて媒体の高温が検出される時に、時刻ｔ６で弁１０１は閉じられ、時刻ｔ６以降もお知らせ表示は継続されることになる。
【０１０７】
１例として、図７（Ｂ）において、時刻ｔ２で媒体の温度が摂氏２０［ｄｅｇｒｅｅ］未満である時に、冷暖房室内端末１００は、弁１０１を閉じているが、誤判定を低減させるために、以下のように冷暖房室内端末１００の動作を変更することができる。具体的には、時刻ｔ２で媒体の温度が摂氏２０［ｄｅｇｒｅｅ］未満であり、且つ時刻ｔ２から例えば１［ｍｉｎ］である一定時間を経過する次の時刻（ｔ２＋１［ｍｉｎ］）までの間、媒体の温度が摂氏２０［ｄｅｇｒｅｅ］未満であり続ける時に、冷暖房室内端末１００は、弁１０１を閉じることができる。
【０１０８】
図８は、図１のブロック図の変形例を説明する図である。図１では、冷暖房システムは、１つの冷暖房室内端末１００と１つの冷暖房室外機３００とを備えているが、図８に示されるように、冷暖房システム又は冷暖房室外機３００には、複数の端末１００，１１０，１２０が接続されてもよい。図８において、端末１００は、１例として、図１の冷暖房室内端末１００である。言い換えれば、図８に示される冷暖房室内端末１００は、熱交換器１０３及び制御部１０７並びに報知部１０６を備え、他の構成である検出部１０４、ファン１０５、通信部１０８等の図示は、省略されている。もちろん、図８に示される冷暖房室内端末１００は、図１のファン１０５を備えないで、例えば冷温水パネルで構成されてもよい。
【０１０９】
図８において、端末１１０は、１例として、図１の冷暖房室内端末１００である。言い換えれば、図８に示される冷暖房システムは、例えば２つの冷暖房室内端末又は２つのファンコイルユニットを有することができる。もちろん、図８に示される冷暖房システムは、１つの冷暖房室内端末だけを備え、端末１１０は、例えば床暖房パネルである暖房室内端末（暖房専用室内端末）であってもよい。図８において、端末１２０は、１例として、図１の冷暖房室内端末１００である。言い換えれば、図８に示される冷暖房システムは、例えば３つの冷暖房室内端末を有することができる。もちろん、端末１２０は、暖房室内端末であってもよい。
【０１１０】
図８において、端末１００，１１０，１２０の報知部１０６，１１６，１２６は、１例として、例えば黄色の光を発光可能なＬＥＤランプの点灯によるお知らせ表示１０６ａ，１１６ａ，１２６ａ及び、例えば緑色の光を発光可能なＬＥＤランプの点灯による運転表示１０６ｂ，１１６ｂ，１２６ｂを有することができる。また、端末１００，１１０，１２０は、運転を実施可能な周知の構成を採用することができる。
【０１１１】
図８において、冷暖房室外機３００は、例えばハイブリッド冷温水室外機である複合冷暖房室外機であるが、これに限定されるものではない。図８に示される冷暖房室外機３００又は複合冷暖房室外機は、例えば２つの室外機３００ａ及び３００ｂ（２つのヒートポンプ装置）を有することができる。図８において、冷暖房室外機３００は、１例として、図１の冷暖房室外機３００である。言い換えれば、図１の熱交換器３０３、ヒートポンプ３０５及び制御部３０７は、それぞれ、１例として、図８の熱交換器３０３ａ１，３０３ａ２，３０３ｂ１，３０３ｂ２、ヒートポンプ３０５ａ，３０５ｂ及び制御部３０７ａ，３０７ｂで構成することができる。なお、１例として、制御部３０７ａだけが端末１００，１１０，１２０からの指示を受信可能であり、受信した指示に基づく運転を室外機３００ａが実施するとともに、その指示は、制御部３０７ａから制御部３０７ｂに送信されて、その指示に基づく運転を室外機３００ｂも実施することができる。
【０１１２】
図８において、室外機３００ａ及び室外機３００ｂは、それぞれ、例えば地中熱ヒートポンプ装置及び空気熱ヒートポンプ装置であるが、これに限定されるものではない。図８の室外機３００ａ及び室外機３００ｂは、１例として、直列に連結されたヒートポンプサイクルを有している。例えば暖房運転を開始する時に、室外機３００ａ又は地中熱ヒートポンプ装置は、地中側の熱交換器３０３ａ２を利用して端末１００，１１０，１２０側の媒体又は循環液を熱交換器３０３ａ１及びヒートポンプ３０５ａで加熱可能である。その後に、室外機３００ｂ又は空気熱ヒートポンプ装置は、空気側の熱交換器３０３ｂ２を利用して端末１００，１１０，１２０側の媒体又は循環液を熱交換器３０３ｂ１で更に加熱可能である。なお、ヒートポンプ３０５ａ及びヒートポンプ３０５ｂの各々は、例えば図示されない凝縮器、膨張弁、蒸発器及び圧縮機等を有している。
【０１１３】
図８において、端末１００，１１０，１２０の熱交換器１０３，１１３，１２３の出口側（戻り側）の管１０２，１１２，１２２は、例えば混合ヘッダ（戻り側ヘッダ）に接続され、端末１００，１１０，１２０側の媒体が室外機３００ａの熱交換器３０３ａ１に取り込まれ、その媒体は、熱交換器３０３ａ１から吐き出されて、室外機３００ｂの熱交換器３０３ｂ１に取り込まれる。その後、その媒体は、熱交換器３０３ｂ１から吐き出されて、例えば分配ヘッダ（往き側ヘッダ）に接続される熱交換器１０３，１１３，１２３の入口側（往き側）の管１０２，１１２，１２２を介して、端末１００，１１０，１２０に入る。
【０１１４】
図８において、冷暖房室外機３００又は室外機３００ａには、例えばメインリモコンである制御部４０７が接続され、ユーザがリモコンの電源ボタン（図示せず）を押す時に、室外機３００ａ及び室外機３００ｂの電源（本体電源）がＯＮされる。端末１００，１１０，１２０の何れか１つが例えば暖房専用の床暖房パネル、暖房専用のロードヒーティング等の暖房端末である時に、制御部４０７（メインリモコン）で、暖房端末の動作を制御してもよい。図８において、例えば空気熱ヒートポンプ装置である室外機３００ｂは、１例として、ファン３０９を備えることができる。冷暖房室外機３００又は室外機３００ａ，３００ｂは、冷暖房運転を実施可能な周知の構成を採用することができ、例えば図示されない他の検出部（例えば温度センサ）を備え、それによって検出される外気温に基づき、室外機３００ａ及び室外機３００ｂの一方の運転を優先させることができる。
【０１１５】
以下に、冷暖房システムの設置、並びに、その後の試運転及び通常運転について、簡単に説明する。１例として、まず、設置者は、冷暖房室外機３００（室外機３００ａ及び室外機３００ｂ）を所定の場所に配置するとともに、地中と熱交換器３０３ａ２との間の機械的な配管及び制御部３０７ａと制御部３０７ｂとの間の電気的な配線を所定の場所に配置する。次に、設置者は、端末１００，１１０，１２０を所定の場所に配置するとともに、管１０２，１１２，１２２を端末１００，１１０，１２０及び冷暖房室外機３００に機械的に接続し、配線１０９，１１９，１２９を端末１００，１１０，１２０及び冷暖房室外機３００に電気的に接続する。このように、冷暖房システムは、設置者によって準備されて、冷暖房システムの設置が完了される。
【０１１６】
次に、設置者は、端末１００，１１０，１２０を順次に試運転する。設置者は、端末１００，１１０，１２０の中から１つの端末を選択し、その１つの端末において、単方向通信を配線１０９，１１９，１２９のうちの対応する配線で実行する。具体的には、例えば、冷暖房室内端末１００だけに例えば冷房運転が設定され、冷暖房室内端末１００（制御部１０７）のみから冷暖房室外機３００（制御部３０７ａ）に冷房運転の開始が指示される。この時に、冷暖房室内端末１００は、例えば運転表示１０６ｂを実行することができ（例えば緑色ＬＥＤの点灯）、例えばお知らせ表示１０６ａを実行していない（例えば黄色ＬＥＤの非点灯）。
【０１１７】
配線１０９に誤配線が存在しない時に、冷暖房室外機３００は、冷房運転の実施を開始する。一方、配線１０９に誤配線が存在する時に、冷暖房室外機３００は、暖房運転の実施を開始することがあり、冷暖房室内端末１００への媒体を加熱してしまうことがある。従って、熱交換器１０３に取り込まれる媒体の温度が、指示された冷房運転とは異なる暖房運転に基づく所望の温度に合致することがある。媒体の温度が例えば摂氏３２［ｄｅｇｒｅｅ］以上である時に、冷暖房室内端末１００は、例えばお知らせ表示１０６ａを実行する（例えば黄色ＬＥＤの点灯）。設置者は、お知らせ表示１０６ａの実行に基づき、冷暖房室内端末１００及び冷暖房室外機３００の電源をＯＦＦし、誤配線を正すことができる。
【０１１８】
設置者が配線１０９に誤配線が最初から存在しないこと又は誤配線を正したことを確認した後に、例えば、冷暖房室内端末１１０だけに例えば冷房運転が設定され、冷暖房室内端末１１０のみから冷暖房室外機３００に冷房運転の開始が指示される。配線１１９に誤配線が存在する時に、冷暖房室内端末１１０は、例えばお知らせ表示１１６ａを実行することができる（例えば黄色ＬＥＤの点灯）。
【０１１９】
設置者が配線１１９に誤配線が最初から存在しないこと又は誤配線を正したことを確認した後に、例えば、冷暖房室内端末１２０だけに例えば冷房運転が設定され、冷暖房室内端末１２０のみから冷暖房室外機３００に冷房運転の開始が指示される。配線１２９に誤配線が存在する時に、冷暖房室内端末１２０は、例えばお知らせ表示１２６ａを実行することができる。
【０１２０】
配線１０９，１１９，１２９のすべてに誤配線が存在しない時に、設置者は、冷暖房システムの試運転を終了させることができる。その後、例えば所有者又は購入者であるユーザは、端末１００，１１０，１２０を通常運転することができる。ところで、端末１００，１１０，１２０と冷暖房室外機３００との間の通信は、双方向通信ではないので、例えば冷暖房室内端末１００は、他の端末１１０，１２０から冷暖房室外機３００への指示を冷暖房室外機３００から受信することができない。従って、例えば端末１２０から冷暖房室外機３００へ例えば暖房運転の開始が指示されて、冷暖房室外機３００が暖房運転を実施している時に、冷暖房室内端末１００は、既に実施されている暖房運転とは異なる冷房運転を開始する指示が冷暖房室外機３００に送信することがある。典型的には、１人のユーザの誤操作によって、このような指示が送信される。或いは、複数のユーザが互いに異なる運転を希望する時に、このような指示が送信される。
【０１２１】
冷暖房室外機３００は、複数の指示を受信可能であるので、最初の指示だけに基づき、その指示に基づく運転を実施することができる。即ち、例えば端末１２０から冷暖房室外機３００へ例えば暖房運転の開始が指示されて、冷暖房室外機３００が暖房運転を実施している時に、冷暖房室外機３００は、暖房運転の指示が解除されない限り、例えば冷暖房室内端末１００からの冷房運転の指示を無視することができる。
【０１２２】
このような状況において、熱交換器１０３に取り込まれる媒体の温度が、指示された冷房運転とは異なる暖房運転に基づく所望の温度に合致することがある。媒体の温度が例えば摂氏３２［ｄｅｇｒｅｅ］以上である時に、冷暖房室内端末１００は、例えばお知らせ表示１０６ａを実行する（例えば黄色ＬＥＤの点灯）。所有者又は購入者は、お知らせ表示１０６ａの実行に基づき、冷暖房室内端末１００の指示する運転を暖房運転に切り替えることができる。或いは、例えば端末１２０の指示する運転を冷房運転に切り替えることによって又は例えば端末１２０の指示する運転を停止することによって、例えば端末１２０の指示を解除することができる。
【０１２３】
従って、誤配線検出方法は、試運転だけでなく、通常運転にも有効である。言い換えれば、誤配線検出方法は、好ましくは、端末１００，１１０，１２０の通常運転にも実行されて、誤指示検出方法と呼ぶことができる。或いは、誤指示が存在する時に、例えば冷暖房室内端末１００において熱交換器１０３への媒体の取り込みを停止させるために、冷暖房室内端末１００は、弁１０１を停止モードで閉じて、停止モードに対応する例えば図６（Ｂ）の時刻ｔ１から時刻ｔ３までの間、待機することができる。このように、試運転だけでなく、通常運転にも実行される冷暖房室内端末運転方法は、誤配線検出方法（誤配線及び誤指示の両者を検出可能な誤配線兼誤指示検出方法）を常に含んで、常にそれを実行することが好ましい。
【０１２４】
本発明は、上述の例示的な実施形態に限定されず、また、当業者は、上述の例示的な実施形態を特許請求の範囲に含まれる範囲まで、容易に変更することができるであろう。
【符号の説明】
【０１２５】
１００・・・冷暖房室内端末、１０１・・・弁、１０２・・・管、１０３・・・熱交換器、１０４・・・検出部、１０５・・・ファン、１０６・・・報知部、１０７・・・制御部、１０８・・・通信部、１０９・・・配線、１１０，１２０・・・冷暖房室内端末、１１３，１２３・・・熱交換器、１０６ａ，１１６ａ，１２６ａ・・・お知らせ表示、１０６ｂ，１１６ｂ，１２６ｂ・・・運転表示、１１７，１２７・・・制御部、３００・・・冷暖房室外機、３０３・・・熱交換器、３０５・・・ヒートポンプ、３０７・・・制御部、３０９・・・ファン、４０７・・・制御部。
【図１】
0006571540.tif 000002
【図２】
0006571540.tif 000003
【図３】
0006571540.tif 000004
【図４】
0006571540.tif 000005
【図５】
0006571540.tif 000006
【図６】
0006571540.tif 000007
【図７】
0006571540.tif 000008
【図８】
0006571540.tif 000009